(57)【要約】【課題】  この発明は、椅子の背もたれに、装着されるハンガーが、気兼ねなく上着がかけられ、型崩れも生じないし、不衛生でもないハンガー付き椅子を開発・提供することにある。【解決手段】  背もたれ付き椅子において、背もたれ部（１）内に、上着を掛けるハンガー（２）を内装し、あるいは、背もたれ部（１）の背面に設け、必要時に、該ハンガーを、軸（３）を介して取り出し、該軸は背もたれ部（１）に対して、斜め後方に傾斜して設けたことを特徴とするハンガー付き椅子。【選択図】        図２
2005237454.tif 000002
【特許請求の範囲】
【請求項１】
背もたれ付き椅子（Ｘ）において、背もたれ部（１）内に、上着等の衣服（Ｙ）を掛けるハンガー（２）を内装して設け、必要時に、該ハンガー（２）を、支持軸（３）を介して取り出し、該ハンガー（２）の両端より突出片（２ａ）（２ｂ）を引き出し、ハンガー（２）は背もたれ部（１）に対して、斜め後方に傾斜可能に設けたことを特徴とするハンガー付き椅子。
【請求項２】
背もたれ付き椅子（Ｘ）において、背もたれ部（１）の背面内に、上着等の衣服（Ｙ）を掛けるハンガー（２）を設け、該ハンガー（２）は、上方に引き出すと共に、ハンガー（２）の両端より突出片（２ａ）（２ｂ）を引き出し、ハンガー（２）は背もたれ部（１）に対して、斜め後方に傾斜可能に設けたことを特徴とするハンガー付き椅子。
【発明の詳細な説明】
【技術分野】
【０００１】
この発明は、ハンガー付き椅子に関するものである。
【背景技術】
【０００２】
従来、椅子には、その種類が数多く存在するが、例えば、会議やパーティーなどで、室内温度を高く感じた場合に上着を脱いだり、また、仕事をする際、上着が邪魔となり、脱ぐ場合がある。
【０００３】
そして、その場合、大抵は、座っている椅子の背もたれに、上着をかける場合が多く、ホテルの宴会等では、場内の温度が上がった場合等、その都度、脱いだ上着を、一々、クロークまで赴いて預けたりすることは、面倒である。
【０００４】
また、上着を、自分の着座した椅子の背もたれに一時的に掛けておくことは、手帳とか上着のポケットに収納した品を取り出す場合等にも、身近にあると便利である。
【０００５】
しかし、背もたれはハンガーのようには形成されておらず、上着が型崩れしたり、特に衿部が、自分の背中と椅子の背もたれで圧迫されたりすることにより、シワになったり、型崩れが生じたりするため、常時、背中が背もたれに圧着しないよう気を使うことがある。
【０００６】
さらに、背もたれに掛けた上着は、通常は、前身頃・後身頃の末端が、床面に付着してしまい、場合によっては汚れたり、または、不衛生であるという欠点もあった。
【特許文献１】特開２００２−０２８０４８号公報
【発明の開示】
【発明が解決しようとする課題】
【０００７】
そこで、この発明は、椅子の背もたれに、装着されるハンガーが、気兼ねなく上着がかけられ、型崩れも生じないし、不衛生でもないハンガー付き椅子を開発・提供することにある。
【課題を解決するための手段】
【０００８】
この発明は、椅子の背もたれにおいて、ハンガーを背もたれ部に内蔵し、必要時に、ハンガーを上方に引き出し、必要に応じて、突出片を引き出し、これらハンガーを背もたれ部に対して、斜め後ろ上方に取り出し、ハンガーに衣服を掛けて使用するものであり、不要時には、この動作を逆を行い、ハンガーを元の背もたれ部に収納するものである。
【発明の効果】
【０００９】
本発明によると、椅子の背もたれ部（１）に、ハンガー（２）を内蔵しており、必要時に、背もたれ部（１）より上方に取り出して使用でき、不使用時には背もたれ部（１）内に隠れており、見た目にも甚だ体裁がよい。
【００１０】
また、ハンガー（２）を支持・固定する支持軸（３）は、背もたれ部（１）の後ろ斜め上方に傾斜して伸縮可能に設けることにより、衣服（Ｙ），例えば、上着は、背もたれ部（１）から離れた箇所でハンガー（２）に掛けることにより、上着が、型崩れしたり、シワになったりすることがない。
【００１１】
また、ハンガー（２）は、背もたれ部（１）の上端より上方に位置するため、衣服（Ｙ）の裾部が床面に接しないため、汚れたりする恐れがない等極めて有益なる効果を奏するものである。
【発明を実施するための最良の形態】
【００１２】
この発明は、背もたれ付き椅子において、背もたれ部（１）内に、上着を掛けるハンガー（２）を内装し、必要時に、該ハンガーを、支持軸（３）を介して取り出し、該軸は背もたれ（１）部に対して、斜め後方に傾斜可能に設けたことを特徴とするハンガー付き椅子から構成される。
【実施例】
【００１３】
次に、この発明の一実施例を図面に従って詳述すると、背もたれ付き椅子（Ｘ）において、背もたれ部（１）の上面（１ａ）に、取り出し口（１ｂ）を設け、背もたれ部（１）の内部には、支持軸（３）を枢支し、該軸（３）の先端にはハンガー（２）を固着したものである。
【００１４】
そして、ハンガー（２）は、背もたれ部（１）の横幅しかなく、幅はみじかく、衣服（Ｙ）の肩幅の方が大きいため、背もたれ部（１）の両端に、それぞれ、突出片（２ａ）（２ａ）を出し入れ可能に設けている。
【００１５】
該ハンガー（２）は、上方に引き出すと共に、ハンガー（２）の両端より突出片（２ａ）（２ｂ）を引き出し、ハンガー（２）は背もたれ部（１）に対して、斜め後方に傾斜可能に設けたことを特徴とするハンガー付き椅子から構成される。
【００１６】
次に、この発明の他の実施例を図面に従って詳述すると、背もたれ付き椅子（Ｘ）において、上着等の衣服（Ｙ）を掛けるハンガー（２）を、背もたれ部（１）の背面に設けたものである。
【００１７】
また、これらハンガー（２）の支持軸（３）は、図面においては１本設けたものを示したが、二本でもよく、また、背もたれ部（１）内では、背もたれ部（１）と平行に設け、必要時には、ハンガー（２）と一体に背もたれ部（２）の上方に引き出し、該支持軸（３）を斜め後方に傾斜させて、固定するものである。その傾斜角度（α）は、５°〜４５°程度の範囲内が適当である。
【００１８】
尚、支持軸（３）と、背もたれ部（１）内の固定手段は、種々、考えられるが、ボルト、釘等で固定する等、特に限定はしない。
【００１９】
さらに、椅子の座部や脚の本数や形状等は、特に、限定されることなく、どのような椅子であっても、背もたれ部（２）を有する椅子であれば、すべて包含するものである。
【産業上の利用可能性】
【００２０】
この発明は、椅子の背もたれ部にハンガーを取り出し可能に設けたものであって、この椅子の製造技術を確立し、かつこれら材料の使用により、家具業界等に寄与する点で、産業上の利用可能性を有する。
【図面の簡単な説明】
【００２１】
【図１】この発明の一実施例を示す斜視図である。
【図２】この発明の一実施例を示す一部欠截正面図である。
【図３】この発明の一実施例を示す一部欠截側面図である。
【図４】この発明の使用状態を示す斜視図である。
【図５】この発明の他の実施例を示す斜視図である。
【図６】この発明の他の実施例を示す一部欠截背面図である。
【符号の説明】
【００２２】
１  背もたれ部
１ａ  背もたれ部の上面
１ｂ  取り出し口
２  ハンガー
２ａ  突出片
３  支持軸
Ｘ  椅子
Ｙ  衣服
α  傾斜角度
【図１】
2005237454.tif 000003
【図２】
2005237454.tif 000004
【図３】
2005237454.tif 000005
【図４】
2005237454.tif 000006
【図５】
2005237454.tif 000007
【図６】
2005237454.tif 000008
【手続補正書】
【提出日】平成16年2月25日(2004.2.25)
【手続補正１】
【補正対象書類名】図面
【補正対象項目名】図５
【補正方法】変更
【補正の内容】
【図５】
2005237454.tif 000009
【手続補正２】
【補正対象書類名】図面
【補正対象項目名】図６
【補正方法】変更
【補正の内容】
【図６】
2005237454.tif 000010